(57)【要約】【課題】携帯端末での簡単な操作によって地図上の位置情報を受け取る。【解決手段】携帯端末を使用して郵政サイトのサーバにアクセスしている状態で、郵便ポストからの検索を選択し、携帯端末からポスト番号を入力すると、サーバのデータベースから、ポスト番号に基づいて現在の位置情報と地図を読み出して携帯端末に送信する。これにより、携帯端末は現在の位置を、地図を付して表示する。【選択図】　図５
2004102700.tif 000002
【特許請求の範囲】
【請求項１】
郵便投函ポスト、店舗、建物等を特定する番号を含む情報を基本に、郵便投函ポスト、店舗、建物等の地図上の位置情報を記憶したデータベースと、携帯端末から郵便投函ポスト、店舗、建物等を特定する番号を含む情報を受信すると、前記データベースから該当する位置情報を読み出して前記携帯端末に送信する送信手段とを具備したことを特徴とする位置検索システム。
【請求項２】
データベースは、郵便投函ポスト、店舗、建物等を特定する番号のみからなる情報を基本に、郵便投函ポスト、店舗、建物等の位置情報を記憶し、送信手段は、携帯端末から郵便投函ポスト、店舗、建物等を特定する番号を受信すると、前記データベースから該当する位置情報を読み出して前記携帯端末に送信することを特徴とする請求項１記載の位置検索システム。
【請求項３】
郵便投函ポスト、店舗、建物等を特定する番号を含む情報を基本に、郵便投函ポスト、店舗、建物等の地図上の位置情報及びこの位置情報に関連した地域情報を記憶したデータベースと、携帯端末から郵便投函ポスト、店舗、建物等を特定する番号を含む情報を受信すると、前記データベースから該当する位置情報を読み出して前記携帯端末に送信し、続いて、前記携帯端末から関連した地域情報の要求があると、前記データベースから該当する位置情報に関連した地域情報を読み出して前記携帯端末に送信する送信手段とを具備したことを特徴とする位置検索システム。
【発明の詳細な説明】
【０００１】
【発明の属する技術分野】
本発明は、郵便投函ポスト、店舗、建物等を特定する番号を含む情報を利用した位置検索システムに関する。
【０００２】
【従来の技術】
例えば、自分の立っている位置を知りたい場合、インターネットに接続可能な携帯端末を所持していれば、携帯端末で検索サイトにアクセスし、自分の立っている位置の住所を入力することで検索サイトのサーバから地図上の位置情報を受け取って表示画面に表示するものが知られている。
【０００３】
【発明が解決しようとする課題】
しかし、このように住所を入力するものでは、携帯端末でのかな漢字変換操作等を行う必要が有り、操作が面倒で時間も掛かるという問題があった。
【０００４】
本発明は、携帯端末での簡単な操作によって地図上の位置情報を受け取ることができる位置検索システムを提供する。
【０００５】
【課題を解決するための手段】
本発明は、郵便投函ポスト、店舗、建物等を特定する番号を含む情報を基本に、郵便投函ポスト、店舗、建物等の地図上の位置情報を記憶したデータベースと、携帯電話などの携帯端末から郵便投函ポスト、店舗、建物等を特定する番号を含む情報を受信すると、データベースから該当する位置情報を読み出して携帯端末に送信する送信手段とを具備したものである。
【０００６】
【発明の実施の形態】
以下、本発明の実施の形態を、図面を参照して説明する。
【０００７】
図１はシステム構成を示す図で、インターネット１に郵政サイトのサーバ２や検索サイトのサーバ３等が接続されている。また、インターネット１に携帯電話などの携帯端末４と無線で通信する中継装置５が接続されている。
図２は郵便投函ポスト６を示し、このポスト６にはポスト番号が付され、表示されている。
【０００８】
前記郵政サイトのサーバ２は、図３に示すように、郵便投函ポストを特定するポスト番号の情報を基本に、郵便投函ポストの所在地及び最寄りの郵便局の情報を記憶した第１のデータベース２１、郵便投函ポストを特定するポスト番号の情報を基本に、郵便投函ポストの所在地及び特産品の情報を記憶した第２のデータベース２２、郵便投函ポストを特定するポスト番号の情報を基本に、郵便投函ポストの所在地及び郵便商品取扱店の情報を記憶した第３のデータベース２３、郵便投函ポストを特定するポスト番号の情報を基本に、郵便投函ポストの所在地及び最寄りの市役所や役場の情報を記憶した第４のデータベース２４をそれぞれ備えている。
【０００９】
なお、郵便投函ポストの所在地情報は位置情報であり、郵便番号及び住所の情報からなり、住所の情報には郵便投函ポストの所在地を地図上で表示する情報も添付されている。最寄りの郵便局情報は地域情報であり、郵便局名、郵便番号、住所及び地図の各情報からなり、地図は郵便投函ポストの所在地と最寄りの郵便局の所在地との位置関係を表示する地図で、ＰＤＦ等添付画像ファイルになっている。
【００１０】
また、特産品情報は地域情報であり、品名、概算価格、特徴及び特産品画像の各情報からなり、特産品画像はＰＤＦ等添付画像ファイルになっている。郵便商品取扱店の情報は地域情報であり、店名、郵便番号、住所、商品名及び地図の各情報からなり、地図は郵便投函ポストの所在地と郵便商品取扱店の所在地との位置関係を表示する地図で、ＰＤＦ等添付画像ファイルになっている。
【００１１】
また、最寄りの市役所や役場の情報は地域情報であり、名称、郵便番号、住所及び地図の各情報からなり、地図は郵便投函ポストの所在地と最寄りの市役所や役場の所在地との位置関係を表示する地図で、ＰＤＦ等添付画像ファイルになっている。
【００１２】
前記検索サイトのサーバ３にも同様のデータベースがある。但し、こちらのデータベースは、郵便投函ポストを特定するポスト番号に代わって、コンビニエンス店舗に付された番号の情報を基本としている。そして、店舗番号を基本に、店舗の所在地及び最寄りの郵便局の情報を記憶したデータベース、店舗番号を基本に、店舗の所在地及び特産品の情報を記憶したデータベース、店舗番号を基本に、店舗の所在地及び最寄りの本屋の情報を記憶したデータベース、店舗番号を基本に、店舗の所在地及び最寄りの市役所や役場の情報を記憶したデータベースをそれぞれ備えている。
【００１３】
図４は、前記郵政サイトのサーバ２にアクセスするときの前記携帯端末４の操作手順を示す流れ図である。
すなわち、携帯端末４においては、Ｓ１にて、郵政サイトにアクセスする操作を行い、Ｓ２にて、位置検索メニューを選択する操作を行う。続いて、Ｓ３にて、位置検索元を選択する操作を行う。
【００１４】
次に、Ｓ４にて、郵便投函ポストのポスト番号を入力する操作を行い、Ｓ５にて、サーバ２から送信される現在位置をディスプレイに表示し、Ｓ６にて、検索内容を選択する操作を行い、Ｓ７にて、サーバ２から送信される検索内容をディスプレイに表示する。
なお、携帯端末４におけるＳ１からＳ７の操作手順は主なものであり、実際には画面切替え操作なども行われるものである。
【００１５】
図５は、前記携帯端末４が前記郵政サイトのサーバ２にアクセスしたときの、サーバ２の処理を示す流れ図である。
先ず、携帯端末４は、ディスプレイを使用して図６の（ａ）に示すようにＵＲＬを使用して郵政サイトのサーバ２に中継装置５を経由してアクセスする。これにより、サーバ２は図５の処理を開始する。
【００１６】
先ず、Ｓ１１にて、携帯端末４にメニューの選択画面を送信する。これにより、携帯端末４のディスプレイに図６の（ｂ）に示す表示が行われる。
この選択画面でユーザは、例えば位置検索メニューを選択すると、図に示すように位置検索メニューの表示が強調される。なお、選択画面には、位置検索メニューの他、お知らせメニュー、郵貯サービスメニュー、切手販売情報メニューがある。
【００１７】
位置検索メニューを選択して確定操作を行うと、その選択情報がサーバ２に送信される。
サーバ２は、Ｓ１２にて、位置検索メニューの選択を確認すると、Ｓ１３にて、携帯端末４に位置検索元の選択画面を送信する。これにより、携帯端末４のディスプレイに図６の（ｃ）に示す表示が行われる。
【００１８】
この選択画面でユーザは、例えば郵便ポストを選択すると、図に示すように郵便ポストの表示が強調される。なお、郵便ポストを選択したのは、ユーザが郵便ポストの前で位置検索の操作を行っていることを示している。選択画面には、郵便ポストの他、店舗及び建物がある。
【００１９】
郵便ポストを選択して確定操作を行うと、その選択情報がサーバ２に送信される。
サーバ２は、Ｓ１４にて、郵便ポストの選択を確認すると、Ｓ１５にて、携帯端末４にポスト番号の入力指示を送信する。これにより、携帯端末４のディスプレイに図６の（ｄ）に示す表示が行われる。
【００２０】
この画面でユーザは、郵便ポストに付されている番号を読み取って入力操作する。入力したポスト番号はサーバ２に送信される。
サーバ２は、Ｓ１６にて、ポスト番号の受信を確認すると、Ｓ１７にて、ポスト番号に基づいてデータベースから現在位置情報と地図を読み出して携帯端末４に送信する。これにより、携帯端末４のディスプレイに図６の（ｅ）に示す表示が行われる。ユーザは、ディスプレイによって現在の位置を確認することになる。
【００２１】
ユーザは現在位置の確認を終えると、画面切替え操作を行う。これにより、画面切替え信号がサーバ２に送信される。
サーバ２は、Ｓ１８にて、画面切替え信号の受信を確認すると、Ｓ１９にて、携帯端末４に検索内容選択画面を送信する。これにより、携帯端末４のディスプレイに図６の（ｆ）に示す表示が行われる。なお、検索内容選択画面には、最寄り郵便局の位置、郵便商品の取扱店、地域特産品、市役所、役場の位置が表示される。
【００２２】
この選択画面でユーザは、例えば最寄り郵便局の位置を選択すると、図に示すように最寄り郵便局の位置の表示が強調される。最寄り郵便局の位置を選択して確定操作を行うと、その選択情報がサーバ２に送信される。
サーバ２は、Ｓ２０にて、最寄り郵便局の位置の選択を確認すると、Ｓ２１にて、ポスト番号に基づいてデータベース２１から現在位置と最寄り郵便局との位置関係を表示した地図を読み出して携帯端末４に送信する。これにより、携帯端末４のディスプレイに図６の（ｇ）に示す表示が行われる。この画面でユーザは、最寄りの郵便局が何処にあるのか容易に確認することができる。
【００２３】
ユーザは最寄り郵便局の位置を確認すると、画面切替え操作を行う。これにより、画面切替え信号がサーバ２に送信される。
サーバ２は、Ｓ２２にて、画面切替え信号の受信を確認すると、Ｓ２３にて、ポスト番号に基づいてデータベース２１から最寄り郵便局の局名や住所等を読み出して携帯端末４に送信する。これにより、携帯端末４のディスプレイに図６の（ｈ）に示す表示が行われる。
【００２４】
ユーザは最寄り郵便局の局名や住所を確認すると、画面切替え操作を行う。これにより、画面切替え信号がサーバ２に送信される。
サーバ２は、Ｓ２４にて、画面切替え信号の受信を確認すると、Ｓ２５にて、携帯端末４に検索内容選択画面を送信する。これにより、携帯端末４のディスプレイに再度図６の（ｆ）に示す表示が行われる。
【００２５】
この選択画面でユーザは、例えば地域特産品を選択して確定操作を行うと、その選択情報がサーバ２に送信される。
サーバ２は、Ｓ２６にて、地域特産品の選択を確認すると、Ｓ２７にて、ポスト番号に基づいてデータベース２２から地域特産品を読み出して携帯端末４に送信する。これにより、携帯端末４のディスプレイに図６の（ｉ）に示す表示が行われる。この画面でユーザは、この地域にどのような特産品があるかを知ることができる。
【００２６】
このように、ユーザは、例えば、最寄りの郵便局が何処にあるのか知りたいときには、近くの郵便ポストの設置場所に行き、携帯端末４で郵政サイトのサーバ２にＵＲＬを使用してアクセスする。そして、郵便ポストからポスト番号を読み取って入力操作し、最寄り郵便局の位置検索を行うことで、最寄り郵便局が何処にあるかを地図によって表示される。また、局名や住所も表示される。
【００２７】
このように、郵政サイトにアクセスし、ポスト番号を入力するという簡単な操作で最寄り郵便局の位置を知ることができる。また、同様にして郵便商品の取扱店や市役所の位置も簡単な操作で知ることが出来、さらには、地域の特産品も知ることができる。
【００２８】
以上は、郵政サイトにアクセスする場合について述べたが、このシステムは通称の検索サイトにアクセスして最寄り郵便局の位置を知ることもできる。
【００２９】
図７は、前記検索サイトのサーバ３にアクセスするときの前記携帯端末４の操作手順を示す流れ図である。
すなわち、携帯端末４においては、Ｓ３１にて、検索サイトにアクセスする操作を行い、Ｓ３２にて、位置検索元を選択する操作を行う。続いて、Ｓ３３にて、コンビニエンスストアなどの店舗に付された店舗番号を入力する操作を行う。
【００３０】
そして、Ｓ３４にて、サーバ３から送信される現在位置をディスプレイに表示し、Ｓ３５にて、検索内容を選択する操作を行い、Ｓ３６にて、サーバ２から送信される検索内容をディスプレイに表示する。
なお、携帯端末４におけるＳ３１からＳ３６の操作手順は主なものであり、実際には画面切替え操作なども行われるものである。
【００３１】
図８は、前記携帯端末４が前記検索サイトのサーバ３にアクセスしたときの、サーバ３の処理を示す流れ図である。
先ず、携帯端末４は、ディスプレイを使用して図９の（ａ）に示すようにＵＲＬを使用して検索サイトのサーバ３に中継装置５を経由してアクセスする。これにより、サーバ３は図８の処理を開始する。
【００３２】
先ず、Ｓ４１にて、携帯端末４に位置検索元の選択画面を送信する。これにより、携帯端末４のディスプレイに図９の（ｂ）に示す表示が行われる。
この選択画面でユーザは、例えばコンビニ店舗を選択すると、図に示すようにコンビニ店舗の表示が強調される。なお、選択画面には、コンビニ店舗の他、郵便ポスト、建物及び市役所がある。
【００３３】
コンビニ店舗を選択して確定操作を行うと、その選択情報がサーバ３に送信される。
サーバ３は、Ｓ４２にて、コンビニ店舗の選択を確認すると、Ｓ４３にて、携帯端末４に店舗番号の入力指示を送信する。これにより、携帯端末４のディスプレイに図９の（ｃ）に示す表示が行われる。
【００３４】
この画面でユーザは、該当するコンビニ店舗に付されている店舗番号を入力する。入力した店舗番号はサーバ３に送信される。
サーバ３は、Ｓ４４にて、店舗番号の受信を確認すると、Ｓ４５にて、店舗番号に基づいてデータベースから現在位置情報と地図を読み出して携帯端末４に送信する。これにより、携帯端末４のディスプレイに図９の（ｄ）に示す表示が行われる。ユーザは、ディスプレイによって現在の位置を確認することになる。
【００３５】
ユーザは現在位置の確認を終えると、画面切替え操作を行う。これにより、画面切替え信号がサーバ３に送信される。
サーバ３は、Ｓ４６にて、画面切替え信号の受信を確認すると、Ｓ４７にて、携帯端末４に検索内容選択画面を送信する。これにより、携帯端末４のディスプレイに図９の（ｅ）に示す表示が行われる。なお、検索内容選択画面には、最寄り郵便局の位置、本屋の位置、市役所、役場の位置、地域特産品が表示される。
【００３６】
この選択画面でユーザは、例えば最寄り郵便局の位置を選択すると、図に示すように最寄り郵便局の位置の表示が強調される。最寄り郵便局の位置を選択して確定操作を行うと、その選択情報がサーバ３に送信される。
サーバ３は、Ｓ４８にて、最寄り郵便局の位置の選択を確認すると、Ｓ４９にて、店舗番号に基づいてデータベースから現在位置と最寄り郵便局との位置関係を表示した地図を読み出して携帯端末４に送信する。これにより、携帯端末４のディスプレイに図９の（ｆ）に示す表示が行われる。この画面でユーザは、最寄りの郵便局が何処にあるのか容易に確認することができる。
【００３７】
ユーザは最寄り郵便局の位置を確認すると、画面切替え操作を行う。これにより、画面切替え信号がサーバ３に送信される。
サーバ３は、Ｓ５０にて、画面切替え信号の受信を確認すると、Ｓ５１にて、店舗番号に基づいてデータベースから最寄り郵便局の局名や住所等を読み出して携帯端末４に送信する。これにより、携帯端末４のディスプレイに図９の（ｇ）に示す表示が行われる。
【００３８】
ユーザは最寄り郵便局の局名や住所を確認すると、画面切替え操作を行う。これにより、画面切替え信号がサーバ３に送信される。
サーバ３は、Ｓ５２にて、画面切替え信号の受信を確認すると、Ｓ５３にて、携帯端末４に検索内容選択画面を送信する。これにより、携帯端末４のディスプレイに再度図９の（ｅ）に示す表示が行われる。
【００３９】
この選択画面でユーザは、例えば本屋の位置を選択して確定操作を行うと、その選択情報がサーバ３に送信される。
サーバ３は、Ｓ５４にて、本屋の位置の選択を確認すると、Ｓ５５にて、店舗番号に基づいてデータベースから最寄りの本屋の住所や名称等を読み出して携帯端末４に送信する。これにより、携帯端末４のディスプレイに図９の（ｈ）に示す表示が行われる。この画面でユーザは、最寄りの本屋がどこにあるかを知ることができる。
【００４０】
ユーザは最寄り本屋の住所や名称を確認すると、画面切替え操作を行う。これにより、画面切替え信号がサーバ３に送信される。
サーバ３は、Ｓ５６にて、画面切替え信号の受信を確認すると、Ｓ５７にて、携帯端末４に検索内容選択画面を送信する。これにより、携帯端末４のディスプレイに再々度図９の（ｅ）に示す表示が行われる。
【００４１】
この選択画面でユーザは、例えば地域特産品を選択して確定操作を行うと、その選択情報がサーバ３に送信される。
サーバ３は、Ｓ５８にて、地域特産品の選択を確認すると、Ｓ５９にて、店舗番号に基づいてデータベースから地域特産品を読み出して携帯端末４に送信する。これにより、携帯端末４のディスプレイに図９の（ｉ）に示す表示が行われる。この画面でユーザは、この地域にどのような特産品があるかを知ることができる。
【００４２】
このように、ユーザは、例えば、コンビニ店舗に来ているときに、最寄りの郵便局が何処にあるのか知りたいときには、携帯端末４で検索サイトのサーバ３にＵＲＬを使用してアクセスする。そして、店舗番号を入力し、最寄り郵便局の位置検索を行うことで、最寄り郵便局が何処にあるかを地図によって表示される。また、局名や住所も表示される。
【００４３】
このように、検索サイトにアクセスし、店舗番号を入力するという簡単な操作で最寄り郵便局の位置を知ることができる。また、同様にして最寄りの本屋や市役所の位置も簡単な操作で知ることが出来、さらには、地域の特産品も知ることができる。
【００４４】
なお、この実施の形態においては、ポスト番号及び店舗番号を使用してサーバから検索情報を得るようにしたが予め番号が付された建物があれば建物番号であってもよい。また、番号のみでサーバから検索情報を得るようにしたが番号に店舗名や建物名などを付加したものであってもよい。
【００４５】
【発明の効果】
以上詳述したように本発明によれば、携帯端末での簡単な操作によって地図上の位置情報を受け取ることができる位置検索システムを提供できる。
【図面の簡単な説明】
【図１】本発明の実施の形態におけるシステム構成を示す図。
【図２】同実施の形態で使用する郵便投函ポストの外観図。
【図３】同実施の形態における郵政サイトのサーバに設けたデータベースの構成を示す図。
【図４】同実施の形態において郵政サイトのサーバにアクセスするときの携帯端末の操作手順を示す流れ図。
【図５】同実施の形態において携帯端末が郵政サイトのサーバにアクセスしたときの、郵政サイトのサーバの処理を示す流れ図。
【図６】同実施の形態において携帯端末が郵政サイトのサーバにアクセスしたときの、携帯端末の表示例を示す図。
【図７】同実施の形態において検索サイトのサーバにアクセスするときの携帯端末の操作手順を示す流れ図。
【図８】同実施の形態において携帯端末が検索サイトのサーバにアクセスしたときの、検索サイトのサーバの処理を示す流れ図。
【図９】同実施の形態において携帯端末が検索サイトのサーバにアクセスしたときの、携帯端末の表示例を示す図。
【符号の説明】
２…郵政サイトのサーバ
３…検索サイトのサーバ
４…携帯端末
６…郵便投函ポスト
２１〜２４…データベース
【図１】
2004102700.tif 000003
【図２】
2004102700.tif 000004
【図３】
2004102700.tif 000005
【図４】
2004102700.tif 000006
【図５】
2004102700.tif 000007
【図６】
2004102700.tif 000008
【図７】
2004102700.tif 000009
【図８】
2004102700.tif 000010
【図９】
2004102700.tif 000011